(57)【要約】【課題】中断後にコンテンツの再生を再開する場合にユーザの必要性が高い場合にあらすじが再生されるようにし、これによりコンテンツ再生の利便性をさらに高める。【解決手段】再生が中断されたコンテンツデータの再生を再開する際に、あらすじ再生範囲モジュール２３４において、コンテンツデータの過去における再生実績（例えば再生回数）がしきい値未満であるか否か、コンテンツデータの中断後の経過時間がしきい値以上であるか否か、嗜好度がしきい値未満であるか否か、一定時間内にユーザに行動を起こさせるイベント情報がスケジュールデータに登録されているか否か、コンテンツデータの再生済時間長がしきい値以上か否かをそれぞれ判定し、これらの条件を満たす場合にのみコンテンツの再生に先立ちあらすじデータを再生するようにしたものである。【選択図】      図２
2008147939.tif 000002
【特許請求の範囲】
【請求項１】
内容が連続するコンテンツデータが記憶される記憶ユニットと、
前記記憶ユニットに記憶されたコンテンツデータを再生する再生ユニットと、
前記記憶ユニット及び再生ユニットに接続される制御ユニットと
を具備し、
前記制御ユニットは、
前記コンテンツデータに対する再生要求が入力された場合に、当該コンテンツデータを前記記憶ユニットから読み出して前記再生ユニットに再生させる手段と、
前記コンテンツデータの再生期間中に中断要求が発生した場合に、当該コンテンツデータの再生を中断させると共に中断位置を表す情報を保持する手段と、
前記再生が中断されたコンテンツデータに対する再生再開要求が発生した場合に、あらすじを再生すべきか否かを予め定められたあらすじ再生条件をもとに判定する判定手段と、
前記判定手段によりあらすじを再生すべきと判定された場合に、前記コンテンツデータの中断位置以前の内容に対応するあらすじデータを前記再生ユニットに再生させたのち前記コンテンツデータを前記中断位置から前記再生ユニットに再生させる機能を有する制御手段と
を備えることを特徴とする携帯端末。
【請求項２】
前記制御手段は、前記判定手段によりあらすじを再生すべきではないと判定された場合には、前記あらすじデータの再生を省略して前記コンテンツデータを前記中断位置から前記再生ユニットに再生させる機能を、さらに有することを特徴とする請求項１記載の携帯端末。
【請求項３】
前記判定手段は、該当コンテンツデータの過去における再生実績を求めて、この再生実績が予め定められたしきい値以上であるか未満であるかを判定し、
前記制御手段は、前記再生実績がしきい値未満の場合に、前記コンテンツデータの中断位置以前の内容に対応するあらすじデータを前記再生ユニットに再生させたのち前記コンテンツデータを前記中断位置から前記再生ユニットに再生させ、前記再生実績がしきい値以上の場合には、前記あらすじデータの再生を省略して前記コンテンツデータを前記中断位置から前記再生ユニットに再生させることを特徴とする請求項２記載の携帯端末。
【請求項４】
前記判定手段は、該当コンテンツデータの中断時刻からの経過時間を求めて、この求められた経過時間がしきい値以上であるか未満であるかを判定し、
前記制御手段は、前記経過時間がしきい値以上の場合に、前記コンテンツデータの中断位置以前の内容に対応するあらすじデータを前記再生ユニットに再生させたのち前記コンテンツデータを前記中断位置から前記再生ユニットに再生させ、前記再生実績がしきい値未満の場合には、前記あらすじデータの再生を行わずに前記コンテンツデータを前記中断位置から前記再生ユニットに再生させることを特徴とする請求項２記載の携帯端末。
【請求項５】
前記記憶ユニットに記憶されているコンテンツデータにユーザの嗜好度を表す情報が付与されている場合に、
前記判定手段は、前記再生が中断されているコンテンツデータの嗜好度が予め定められたしきい値以上か否かを判定し、
前記制御手段は、前記嗜好度がしきい値未満の場合に、前記コンテンツデータの中断位置以前の内容に対応するあらすじデータを前記再生ユニットに再生させたのち前記コンテンツデータを前記中断位置から前記再生ユニットに再生させ、前記嗜好度がしきい値以上の場合には、前記あらすじデータの再生を省略して前記コンテンツデータを前記中断位置から前記再生ユニットに再生させることを特徴とする請求項２記載の携帯端末。
【請求項６】
前記記憶ユニットに、ユーザのスケジュールを表す情報が記憶されている場合に、
前記判定手段は、前記記憶されたスケジュールを表す情報に基づいて今後一定時間内にユーザが実行すべきスケジュールの有無を判定し、
前記制御手段は、今後一定時間内にユーザが実行すべきスケジュールが無い場合に、前記コンテンツデータの中断位置以前の内容に対応するあらすじデータを前記再生ユニットに再生させたのち前記コンテンツデータを前記中断位置から前記再生ユニットに再生させ、今後一定時間内にユーザが実行すべきスケジュールが有る場合には前記あらすじデータの再生を省略して前記コンテンツデータを前記中断位置から前記再生ユニットに再生させることを特徴とする請求項２記載の携帯端末。
【請求項７】
前記判定手段は、前記コンテンツデータの再生が中断されるまでに既に再生された時間を求め、この求められた既再生時間が予め定められたしきい値以上か否かを判定し、
前記制御手段は、前記既再生時間がしきい値未満の場合に、前記コンテンツデータの中断位置以前の内容に対応するあらすじデータを前記再生ユニットに再生させたのち前記コンテンツデータを前記中断位置から前記再生ユニットに再生させ、前記既再生時間がしきい値以上の場合には前記あらすじデータの再生を省略して前記コンテンツデータを前記中断位置から前記再生ユニットに再生させることを特徴とする請求項２記載の携帯端末。
【請求項８】
前記制御手段は、前記コンテンツデータの再生が中断された位置より一定時間遡った位置から前記中断位置までの内容に対応するあらすじデータを前記再生ユニットに再生させることを特徴とする請求項２記載の携帯端末。
【請求項９】
前記制御手段は、前記コンテンツデータの再生が中断された時刻から現在時刻までの時間長を求め、この求められた時間長に応じてあらすじデータの再生長を可変設定することを特徴とする請求項２記載の携帯端末。
【請求項１０】
前記制御手段は、前記記憶ユニットに記憶されたコンテンツデータの内容に対応するあらすじデータを予め記憶しておき、この記憶されたあらすじデータから前記コンテンツデータの中断位置以前の内容に対応するデータを選択してこの選択したデータを前記再生ユニットに再生させることを特徴とする請求項２記載の携帯端末。
【請求項１１】
前記制御手段は、前記コンテンツデータの中断位置以前の内容に対応するあらすじデータを前記記憶ユニットに記憶されたコンテンツデータをもとに作成し、この作成されたあらすじデータを前記再生ユニットに再生させることを特徴とする請求項２記載の携帯端末。
【発明の詳細な説明】
【技術分野】
【０００１】
この発明は、携帯電話機やＰＤＡ（Personal Digital Assistant）等の携帯端末に係わり、特に映像や書籍コンテンツの再生機能を備えた携帯端末に関する。
【背景技術】
【０００２】
近年、携帯電話機やＰＤＡ等に代表される携帯端末は、通話やメールの送受信機能に加えて音楽や映像、書籍等のコンテンツの再生機能を備えたものが多くなっている。従来では数分程度の比較的短いコンテンツを再生するものが一般的であるが、最近では電池容量の増大やコーデックの高性能化、ストレージデバイスの大容量化に伴い、数十分のコンテンツを再生することを目標に端末の開発が進められている。
【０００３】
ところで、携帯端末における映像コンテンツ等の再生は、休憩時間や車両での移動時間を利用して行われることが多く、また再生中に通話やメールの着信が発生することがあるため、コンテンツの再生が途中で中断されることが多い。コンテンツの再生が中断されると、当該コンテンツの再生を再開する場合に、中断される前の内容をユーザが覚えていないことも考えられる。
【０００４】
そこで、例えばコンテンツをある単位に分割してこれらの単位ごとにあらすじを予め作成しこれを記憶しておく。そして、コンテンツの再生を再開する際に、中断される前の内容を含む単位のあらすじを読み出して再生し、その後に上記中断位置以降の内容を再生できるようにする技術が提案されている（例えば、特許文献１を参照。）。
【特許文献１】特開２００５−０２５７９７号公報
【発明の開示】
【発明が解決しようとする課題】
【０００５】
しかしながら、休憩又は移動時間が短い場合や頻繁に着信が発生するような場合には、コンテンツの再生が度々中断されてコンテンツが細切れされやすい。このような場合、コンテンツの再生を再開するごとにその都度あらすじを再生すると、ユーザにとってはかえって煩わしく感じることがあり、改善が要望されていた。
【０００６】
この発明は上記事情に着目してなされたもので、その目的とするところは、中断後にコンテンツの再生を再開する場合にユーザの必要性が高い場合にあらすじが再生されるようにし、これによりコンテンツ再生の利便性をさらに高めた携帯端末を提供することにある。
【課題を解決するための手段】
【０００７】
上記目的を達成するためにこの発明の一つの観点は、内容が連続するコンテンツデータが記憶される記憶ユニットと、この記憶ユニットに記憶されたコンテンツデータを再生する再生ユニットと、上記記憶ユニット及び再生ユニットに接続される制御手段とを具備する携帯端末にあって、上記制御ユニットにより次のような制御を実行するようにしたものである。すなわち、再生が中断されたコンテンツデータに対する再生再開要求が発生した場合に、あらすじを再生すべきか否かを予め定められたあらすじ再生条件をもとに判定する。そして、あらすじを再生すべきと判定された場合に、上記コンテンツデータの中断位置以前の内容に対応するあらすじデータを上記再生ユニットに再生させたのち上記コンテンツデータを上記中断位置から上記再生ユニットに再生させる。
【発明の効果】
【０００８】
したがって、再生が中断されたコンテンツデータの再生を再開する際に、予め定められたあらすじ再生条件を満足する場合にあらすじデータが再生される。このため、ユーザがあらすじの再生を必要としていると想定される場合にあらすじを再生することが可能となり、ユーザはあらすじの再生を必要としていない場合に煩わしさを感じずに済む。
【０００９】
すなわち、この発明によれば、中断後にコンテンツの再生を再開する場合にユーザの必要性が高い場合にあらすじが再生されるようになり、これによりコンテンツ再生の利便性をさらに高めた携帯端末を提供することができる。
【発明を実施するための最良の形態】
【００１０】
以下、図面を参照してこの発明の実施形態を説明する。
【００１１】
（第１の実施形態）  
図１は、この発明の第１の実施形態に係わる携帯端末の全体構成を示すブロック図である。この携帯端末は、無線ユニット１と、ベースハンドユニット２と、ユーザインタフェースユニット３と、記憶ユニット４と、電源ユニット５を具備する。
【００１２】
無線ユニット１では、その受信系において、図示しない基地局から送信された無線信号をアンテナ１１により受信したのちアンテナ共用器（ＤＵＰ）１２を介して受信回路（ＲＸ）１３に導き、この受信回路１３でシンセサイザ（ＳＹＮ）１４により生成される受信局部発振信号とミキシングして受信ベースバンド信号に変換する処理が行われる。
【００１３】
ベースバンドユニット２は、ＣＤＭＡ（Code Division Multiple Access）信号処理ユニット２１と、符号復号処理ユニット（以後コーデックと称する）２２と、制御ユニット２３とを備える。ＣＤＭＡ信号処理ユニット２１はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を合わされたのち合成される。この結果、所定の伝送フォーマットの受信パケットデータが得られる。
【００１４】
コーデック２２は、上記ＣＤＭＡ信号処理ユニット２１により得られた受信パケットデータを多重分離処理によりメディアごとに分離する。そして、この分離されたメディアデータごとに復号処理を行う。例えば受信パケットデータにオーディオデータが含まれていれば、このオーディオデータをスピーチデコーダにより復号する。また受信パケットデータにビデオデータが含まれていれば、このビデオデータをビデオデコーダにより復号する。さらに、メール等のテキストデータ或いはコンテンツのダウンロードデータが含まれている場合には、誤り訂正復号処理のみが行われる。
【００１５】
上記スピーチデコーダにより得られたディジタルオーディオ信号は、コーデック２２内に設けられたＰＣＭ（Pulse Code Modulation）デコーダによりＰＣＭ復号されてアナログオーディオ信号に変換される。このアナログオーディオ信号は、図示しない受話増幅器により増幅されたのちユーザインタフェースユニット３のスピーカ３１から音として出力される。一方、ディジタルビデオ信号はコーデック２２から制御ユニット２３に入力される。また、メール等のテキストデータやコンテンツ等のダウンロードデータも制御ユニット２３に入力される。制御ユニット２３は、上記コーデック２２から出力されたディジタルビデオ信号を、ビデオＲＡＭ（Random Access Memory）を使用してユーザインタフェースユニット３のディスプレイ３３に表示する。また、メール等のテキストデータやコンテンツ等のダウンロードデータについては、記憶ユニット４に記憶させる。
【００１６】
一方、通話モードにおいてユーザインタフェースユニット３のマイクロホン３２に入力された話者の音声信号は、図示しない送話増幅器により適正レベルまで増幅されたのち、ベースバンドユニット２のコーデック２２に入力される。コーデック２２は、上記入力された音声信号をＰＣＭエンコーダでＰＣＭ符号化してディジタルオーディオ信号に変換したのち、スピーチエンコーダでデータ量を圧縮するための符号化を行う。また、図示しないカメラにより撮像されたビデオ信号は、制御ユニット２３を介してコーデック２２に入力される。コーデック２２は、上記入力されたビデオ信号をビデオエンコーダでデータ量を圧縮するための符号化を行う。なお、制御ユニット２３において作成されたメール等のテキストデータも、制御ユニット２３からコーデック２２に入力される。
【００１７】
コーデック２２は、上記スピーチエンコーダにより符号化されたオーディオデータと、ビデオエンコーダにより符号化されたビデオデータと、メール等のテキストデータを多重分離部で所定の伝送フォーマットに従いパケット化して送信パケットデータを生成し、この送信パケットデータをＣＤＭＡ信号処理ユニット２１へ出力する。
【００１８】
ＣＤＭＡ信号処理ユニット２１は、上記コーデック２２から出力された送信パケットデータに対し、送信チャネルに割り当てられた拡散符号を用いてスペクトラム拡散処理を施す。そして、その出力信号を無線ユニット１の送信回路（ＴＸ）１５へ出力する。送信回路１５は、上記スペクトラム拡散された信号を例えばＱＰＳＫ（Quadrature Phase Shift Keying）方式等のディジタル変調方式を使用して変調する。そして、この変調処理により生成された送信信号を、シンセサイザ１４から発生される送信局部発振信号とミキシングして無線信号に変換する。そして、制御ユニット２３により指示される送信電力レベルとなるように、上記無線信号を高周波増幅する。この増幅された無線信号は、アンテナ共用器１２を介してアンテナ１１に供給され、このアンテナ１１から基地局へ向けて送信される。  
ところで、記憶ユニット４は記憶媒体として例えばハードディスク又はＮＡＮＤ型フラッシュメモリを使用したもので、この発明に係わるデータを記憶するための記憶領域として、コンテンツ記憶領域４１と、あらすじ記憶領域４２と、スケジュール記憶領域４３を備えている。
【００１９】
コンテンツ記憶領域４１には、例えばウエブサイトからダウンロードするか、または図示しないメモリカード等の外部記憶媒体から読み込んだ映像コンテンツデータが記憶される。あらすじ記憶領域４２には、上記映像コンテンツデータのあらすじを表すデータが記憶される。スケジュール記憶領域４３には、ユーザが入力デバイス３４において入力した行動スケジュールを表す情報が記憶される。
【００２０】
なお、上記映像コンテンツデータとあらすじを表すデータとは同一のファイルとして作成され、そのデータをダウンロードすることにより、記憶するようにしてもよい。その場合は、映像コンテンツデータとあらすじを表すデータと同じ領域に記憶してもよいし、異なる領域に記憶し、対応付けておいてもよい。
【００２１】
制御ユニット２３はＣＰＵ（Central Processing Unit）を備えたもので、この発明に係わる制御機能として次の各機能モジュールを備えている。図２はその機能構成を示すブロック図である。すなわち、制御ユニット２３は通信制御モジュール２３１と、コンテンツ再生制御モジュール２３２と、内部メモリ２３３と、あらすじ再生判定モジュール２３４と、あらすじ再生制御モジュール２３５を備える。
【００２２】
通信制御モジュール２３１は、通話モードやメールの送受信モード、ウエブの閲覧モードにおいて、予め定められた通信プロトコルに従い基地局及び通信相手先との間の通信を制御する。またその際、着信発生通知をコンテンツ再生制御モジュール２３２に、また通信終了通知をあらすじ再生判定モジュール２３４にそれぞれ与える。
【００２３】
コンテンツ再生制御モジュール２３２は、入力デバイス３４においてコンテンツの再生を要求する操作が行われた場合に、記憶ユニット４のコンテンツ記憶領域４１から該当するコンテンツデータを読み出し、このコンテンツデータをコーデック２２に供給して再生させる。また、上記コンテンツデータの再生制御期間中に通信制御モジュール２３１から着信発生通知が与えられると、その時点でコンテンツデータの再生制御を中断すると共に、このときの中断時刻と、コンテンツデータの中断位置を表す情報を内部メモリ２３３に保持させる。
【００２４】
あらすじ再生判定モジュール２３４は、上記通信制御モジュール２３１から通信終了通知が与えられた場合に、予め設定された複数の判定条件に基づいてあらすじデータを再生するか否かを判定する。そして、「あらすじを再生する」と判定した場合にはあらすじ再生制御モジュール２３５に対し再生指示を与え、一方「あらすじを再生しない」と判定した場合には上記コンテンツ再生制御モジュール２３２に対し再生指示を与える。
【００２５】
あらすじデータを再生する条件は以下の５つである。  
（１）再生が中断されているコンテンツデータの過去における再生実績（例えば再生回数）がしきい値未満であること。  
（２）再生が中断されているコンテンツデータの中断時刻からの経過時間がしきい値以上であること。  
（３）再生が中断されているコンテンツデータの嗜好度（レート情報）がしきい値未満であること。  
（４）今後一定時間内にユーザに行動を起こさせるイベント情報がスケジュールデータに登録されていないこと。  
（５）再生が中断されているコンテンツデータの過去に既に再生が終了した長さがしきい値未満であること。  
なお、上記条件は、（１）乃至（５）の一つを満たすことを条件としてもよいし、複数を満たすことを条件としてもよい。
【００２６】
あらすじ再生制御モジュール２３５は、上記あらすじ再生判定モジュール２３４において「あらすじを再生する」と判定された場合に、内部メモリ２３３に保持されている中断位置表す情報に基づいて、記憶ユニット４のあらすじ記憶領域４２から適当なあらすじデータを読み出し、このあらすじデータをコーデック２２に供給して再生させる。そして、このあらすじデータの再生終了後に、コンテンツ再生制御モジュール２３２に対しコンテンツデータの再生再開指示を与える。  
なお、電源ユニット５はバッテリを備える。そして、このバッテリの出力をもとに動作電源電圧Ｖccを生成して上記無線ユニット１、ベースバンドユニット２、ユーザインタフェースユニット３及び記憶ユニット４に供給する。
【００２７】
次に、以上のように構成された携帯端末によるコンテンツデータ及びあらすじデータの再生動作を説明する。図４はその制御手順と制御内容を示すフローチャートである。  
ウエブサイトからダウンロードされたコンテンツデータは、制御ユニット２３により記憶ユニット４内のコンテンツ記憶領域４１に記憶される。またそれと共に、上記コンテンツデータのあらすじを表すデータもウエブサイトからダウンロードされ、制御ユニット２３により記憶ユニット４内のあらすじ記憶領域４２に記憶される。また、ユーザの行動スケジュールを表す情報は、ユーザの操作により入力デバイス３４から入力され、制御ユニット２３により記憶ユニット４のスケジュール記憶領域４３に記憶される。
【００２８】
あらすじデータはコンテンツ制作者又はウエブサイトにおいて作成される。例えば、図６に示すようにコンテンツデータＣＤが複数のチャプタＣＨ１〜ＣＨｎにより構成されるとき、あらすじデータは上記コンテンツデータＣＤの先頭から各チャプタＣＨ１〜ＣＨｎの終わりまでを表す複数のデータＰＤ１，ＰＤ１−２，ＰＤ１−３，…，ＰＤ１−(n-1)により構成される。なお、上記コンテンツデータ及びあらすじデータは、メモリカード等の外部記憶媒体から読み込んで記憶ユニット４に記憶させることも可能である。
【００２９】
さて、待ち受け状態においてユーザが入力デバイス３４においてコンテンツの再生要求を入力したとする。そうすると制御ユニット２３は、ステップＳ４１からステップＳ４２に移行し、コンテンツ再生制御モジュール２３２の制御の下でコンテンツデータの再生制御を実行する。この結果、記憶ユニット４のコンテンツ記憶領域４１から上記再生要求により指定された映像コンテンツデータが読み出される。そして、この映像コンテンツデータに含まれるビデオデータがコーデック２２により復号されてディスプレイ３３に表示される。また上記映像コンテンツデータに含まれる音声データはコーデック２２により復号されてスピーカ３１から出力される。
【００３０】
このコンテンツデータの再生中に制御ユニット２３は、ステップＳ４３で着信の発生を監視しながら、ステップＳ５３においてコンテンツデータの再生の終了を監視する。そして、コンテンツデータの再生が終了すればそのまま待ち受け状態に戻る。なお、ユーザがコンテンツの再生終了操作を行った場合にも、制御ユニット２３はコンテンツデータの再生制御を終了して待ち受け状態に戻る。
【００３１】
一方、上記コンテンツデータの再生期間中に着信が発生したとする。そうすると制御ユニット２３は、ステップＳ４３からステップＳ４４に移行し、コンテンツ再生制御モジュール２３２の制御の下でコンテンツデータの再生制御を中断する。そして、ステップＳ４５において、上記中断した時刻を表す情報を図示しない内部時計から取得してこれを内部メモリ２３３に保存するとともに、上記コンテンツデータにおける中断位置を表す情報を内部メモリ２３３に保存する。以上のコンテンツ中断処理が終了すると、制御ユニット２３はステップＳ４６に移行し、以後通信制御モジュール２３１の制御の下で通話制御を実行する。
【００３２】
さて、上記通話が終了すると、通信制御モジュール２３１からあらすじ再生判定モジュール２３４に対し通信終了通知が与えられる。この通知が与えられるとあらすじ再生判定モジュール２３４は、ステップＳ４７からステップＳ４８に移行し、ここであらすじを再生するか否かを判定する処理を次のように実行する。図５はその処理手順と処理内容を示すフローチャートである。
【００３３】
すなわち、あらすじ再生判定モジュール２３４は、先ず該当するコンテンツデータの過去における再生回数をもとにあらすじデータの再生の要否を判定する。例えば、ステップ６１により該当するコンテンツデータの過去における再生回数を取得する。これは、コンテンツ再生制御モジュール２３２によりコンテンツデータごとに再生回数をカウントして、そのカウント値をコンテンツデータに付加して記憶ユニット４のコンテンツ記憶領域４１に記憶させておき、このコンテンツ記憶領域４１から上記カウント値を読み込むことにより可能となる。そして、上記取得した過去の再生回数を予め設定したしきい値とステップＳ６２により比較する。この比較の結果、過去の再生回数がしきい値以上の場合には、ユーザは当該コンテンツデータのあらすじを既に把握している可能性が高いと判断し、ステップＳ７２に移行してここで「あらすじデータの再生は不要」を判定結果とする。
【００３４】
これに対し過去の再生回数がしきい値未満だった場合には、あらすじ再生判定モジュール２３４は次に該当するコンテンツデータの中断後の経過時間をもとにあらすじデータの再生の要否を判定する。例えば、ステップＳ６３において、該当するコンテンツデータの中断時刻を表す情報を内部メモリ２３３から読み出し、この中断時刻と内部時計の現在時刻とから当該コンテンツデータの中断からの経過時間を算出する。そして、上記算出された経過時間を予め定めたしきい値とステップＳ６４で比較する。この比較の結果、中断後の経過時間がしきい値未満であれば、中断時間が短く、ユーザは中断前に再生されたコンテンツデータの内容をまだ覚えている可能性が高いと判断し、ステップＳ７２に移行してここで「あらすじデータの再生は不要」を判定結果とする。
【００３５】
一方、中断後の経過時間がしきい値以上だった場合には、あらすじ再生判定モジュール２３４は次にコンテンツデータの嗜好度（レート情報）をもとにあらすじデータの再生の要否を判定する。例えば、ステップＳ６５において、該当するコンテンツデータの嗜好度を表す情報を取得する。これは、コンテンツデータに対するユーザの嗜好度、つまりお気に入りの度合いを表す情報（例えば星の数）を、当該コンテンツデータに付加して記憶ユニット４のコンテンツ記憶領域４１に記憶しておき、この嗜好度を表す情報を読み出すことにより可能となる。そして、この読み出した嗜好度を予め設定されたしきい値とステップＳ６６で比較する。この比較の結果、嗜好度がしきい値以上であれば、ユーザは当該コンテンツデータの内容を把握している可能性が高いと判断し、ステップＳ７２に移行してここで「あらすじデータの再生は不要」を判定結果とする。
【００３６】
これに対し嗜好度がしきい値未満の場合には、あらすじ再生判定モジュール２３４は続いてユーザのスケジュールデータをもとにあらすじデータの再生の要否を判定する。例えば、先ずステップＳ６７において、記憶ユニット４のスケジュール記憶領域４３からユーザの今後のスケジュールデータを読み出し、今後一定時間内にコンテンツデータの再生を中断せざるを得ないイベントが存在するか否かをステップＳ６８で判定する。この判定の結果、イベントが存在する場合には、ユーザは十分な再生時間を確保することができないと判断し、ステップＳ７２に移行してここで「あらすじデータの再生は不要」を判定結果とする。
【００３７】
一方、今後の一定時間内にイベントが存在しない場合には、あらすじ再生判定モジュール２３４は該当するコンテンツデータの既に再生が終了した長さ、つまり既再生時間長（又は再生済時間長）をもとに、あらすじデータの再生の要否を判定する。例えば、ステップＳ６９により該当するコンテンツデータの再生済時間長を表す情報を取得する。これは、コンテンツ再生制御ユニット２３２においてコンテンツデータごとにその再生済時間長を計時して、これを当該コンテンツデータに付加して記憶ユニット４のコンテンツ記憶領域４１に記憶しておき、この再生済時間長を読み出すことにより可能となる。そして、この読み出した再生済時間長を予め設定されたしきい値とステップＳ７０で比較する。この比較の結果、再生済時間長がしきい値以上の場合には、ユーザは当該コンテンツデータの内容を把握している可能性が高いと判断し、ステップＳ７２に移行してここで「あらすじデータの再生は不要」を判定結果とする。
【００３８】
これに対し、再生済時間長がしきい値未満の場合には、あらすじ再生判定モジュール２３４はステップＳ７１に移行してここで「あらすじデータの再生は必要」と判定する。すなわち、（１）過去の再生回数がしきい値未満、（２）中断後の経過時間がしきい値以上、（３）嗜好度がしきい値未満、（４）今後の一定時間内にイベントが存在しない、（５）再生済時間長がしきい値未満からなる５つの条件を満たす場合に、「あらすじデータの再生は必要」と判定される。
【００３９】
以上のようにあらすじ再生の要否判定が終了すると、続いて制御ユニット２３はステップＳ４９で上記判定結果をもとにあらすじを再生するか否かを確認する。そして、あらすじを再生する場合には、ステップＳ５０に移行してあらすじ再生制御モジュール２３５の制御の下であらすじデータの再生制御を次のように実行する。
【００４０】
すなわち、あらすじ再生制御モジュール２３５は、先ず内部メモリ２３３から該当するコンテンツデータの中断時刻を表す情報を読み出し、この中断時刻が含まれるチャプタの一つ前のチャプタまでのあらすじを示すあらすじデータを記憶ユニット４のあらすじ記憶領域４２から読み出す。そして、この読み出したあらすじデータをコーデック２２に供給して再生させる。例えば、いま図７に示すようにコンテンツデータのチャプタＣＨ３の途中で再生が中断されたとすれば、その一つ前のチャプタＣＨ２までのあらすじデータＰＤ１−２を選択的に読み出して再生させる。
【００４１】
そして、上記あらすじデータＰＤ１−２の再生終了がステップＳ５１で検出されると、あらすじ再生制御モジュール２３５からコンテンツ再生制御モジュール２３２に対しあらすじ再生終了通知が送られる。コンテンツ再生制御モジュール２３２は、ステップＳ５２において、内部メモリ２３３から該当コンテンツデータの中断位置を表す情報を読み出し、この読み出された情報に従い該当するコンテンツデータをその中断位置から読み出してコーデック２２に再生させる。
【００４２】
以後、制御ユニット２３はステップＳ５３においてコンテンツデータの再生終了が検出されるまでステップＳ４２〜ステップＳ５２の制御を繰り返す。そして、ステップＳ５３でコンテンツデータの再生終了がステップＳ５３で検出されると、待ち受け状態に戻る。かくして、図７に示すように通話期間Ｔs 終了後に先ずあらすじデータＰＤ１−２が再生され、続いてコンテンツデータＣＤがその中断位置から再生される。なお、このときコンテンツデータＣＤは中断位置を含むチャプタＣＨ３の先頭位置から再生するようにしてもよい。
【００４３】
なお、上記あらすじデータの再生の要否判定においてあらすじデータの再生は不要と判定した場合には、制御ユニット２３はあらすじデータの再生を省略してステップＳ５２に移行し、コンテンツ再生制御モジュール２３２の制御の下で即時コンテンツデータＣＤの再生制御を再開する。
【００４４】
以上述べたように第１の実施形態では、再生が中断されたコンテンツデータの再生を再開する際に、あらすじ再生範囲モジュール２３４において、コンテンツデータの過去における再生実績（例えば再生回数）がしきい値未満であるか否か、コンテンツデータの中断後の経過時間がしきい値以上であるか否か、嗜好度がしきい値未満であるか否か、一定時間内にユーザに行動を起こさせるイベント情報がスケジュールデータに登録されているか否か、コンテンツデータの再生済時間長がしきい値以上か否かをそれぞれ判定し、これらの条件を満たす場合にのみコンテンツの再生に先立ちあらすじデータを再生するようにしている。
【００４５】
したがって、予め設定した携帯端末特有の条件を含む複数の条件をもとに、ユーザがあらすじの再生を必要としていると判定される場合にのみ、あらすじデータが再生されることになり、ユーザはあらすじデータの再生を必要としていない場合に煩わしさを感じずに済む。
【００４６】
（第２の実施形態）  
この発明の第２の実施形態は、コンテンツデータのチャプタごとにあらすじデータを作成してこれを記憶しておき、中断されたコンテンツデータの再生再開に先立ちあらすじデータを再生しようとする場合に、コンテンツデータの中断位置を含むチャプタの一つ前のチャプタに対応するあらすじデータを選択的に読み出して再生するようにしたものである。
【００４７】
図８は、この発明の第２の実施形態における携帯端末が取り扱うコンテンツデータＣＤ及びあらすじデータＰＤの構成を示すものである。同図に示すように、コンテンツデータＣＤは複数のチャプタＣＨ１〜ＣＨｎに分割されており、あらすじデータＰＤ１〜ＰＤｎは上記チャプタＣＨ１〜ＣＨｎごとに作成される。上記コンテンツデータＣＤ及びあらすじデータＰＤ１〜ＰＤｎは、ウエブサイトからダウンロードされてそれぞれコンテンツ記憶エリア４１及びあらすじ記憶エリア４２に記憶される。
【００４８】
そして、中断されたコンテンツデータの再生を再開する場合に、制御ユニット２３では次のような処理が行われる。すなわち、例えばいま図９に示すように、チャプタＣＨ３の途中でコンテンツデータＣＤの再生が中断し、通話時間Ｔsが経過した後にコンテンツデータＣＤの再生を再開しようとすると、制御ユニット２３は先ずあらすじデータの再生の要否を判定する。このあらすじデータの再生の要否判定は、前記図５に示した手順及び内容と同様に行われる。そして、この判定の結果、あらすじデータの再生が必要な場合には、コンテンツデータＣＤの中断位置を含むチャプタＣＨ３の一つ前のチャプタＣＨ２に対応するあらすじデータＰＤ２を記憶ユニット４内のあらすじ記憶エリア４２から選択的に読み出す。そして、この読み出したあらすじデータＰＤ２をコーデック２２に再生させる。そして、このあらすじデータＰＤ２の再生終了後に、引き続きコンテンツデータＣＤをその中断位置から読み出してコーデック２２に再生させる。
【００４９】
かくして、図９に示すように通話期間Ｔs 終了後に先ずあらすじデータＰＤ２が再生され、続いてコンテンツデータＣＤがその中断位置から再生される。なお、このときコンテンツデータＣＤはその中断位置を含むチャプタＣＨ３の先頭位置から再生するようにしてもよい。  
このようにすると、あらすじデータの情報量を効果的に抑制して、あらすじ記憶エリア４２の記憶容量を低減することができる。
【００５０】
（第３の実施形態）  
この発明の第３の実施形態は、コンテンツデータごとにその全編を通して作成された１つのあらすじデータを記憶しておく。そして、中断されたコンテンツデータの再生再開に先立ちあらすじデータを再生しようとする場合に、コンテンツデータの中断位置から遡って一定時間分の内容を表すあらすじデータを上記記憶されたあらすじデータから切り出し、この切り出されたあらすじデータを再生するようにしたものである。
【００５１】
図１０は、この発明の第３の実施形態における携帯端末が取り扱うコンテンツデータＣＤ及びあらすじデータＰＤの構成を示すものである。同図に示すように、あらすじデータＰＤはコンテンツデータＣＤの全編を通して作成される。そして、コンテンツデータＣＤ及びあらすじデータＰＤは、ウエブサイトからダウンロードされてそれぞれコンテンツ記憶エリア４１及びあらすじ記憶エリア４２に記憶される。
【００５２】
そして、中断されたコンテンツデータの再生を再開する場合に、制御ユニット２３では次のような処理が行われる。すなわち、例えばいま図１１に示すようにチャプタＣＨ３の途中でコンテンツデータＣＤの再生が中断し、通話時間Ｔsが経過した後にコンテンツデータＣＤの再生を再開しようとすると、制御ユニット２３は先ず前記第１の実施形態（図５）と同様にあらすじデータの再生の要否を判定する。
【００５３】
この判定の結果、あらすじデータの再生が必要な場合には、コンテンツデータＣＤの中断位置から遡って一定時間分の内容を表すあらすじデータＰＤｉを、上記あらすじ記憶エリア４２に記憶されたあらすじデータから切り出し、コーデック２２に再生させる。このあらすじデータの切り出し処理は、例えばあらすじデータにその全編にわたってその位置を表すタイムスタンプを付しておき、このタイムスタンプを目印に切り出し位置を特定することにより可能となる。  
上記あらすじデータの再生終了後に、引き続きコンテンツデータＣＤがチャプタＣＨ３中の中断位置から再生される。
【００５４】
以上のように第３の実施形態によれば、あらすじデータの再生が必要な場合に、コンテンツデータＣＤの中断位置から遡って一定時間分の内容を表すあらすじデータＰＤｉがあらすじデータの全編から切り出されて再生される。したがって、コンテンツデータＣＤの中断位置がどこであっても、常にこの中断位置から一定時間遡った範囲の内容を表すあらすじデータを再生することができる。
【００５５】
（第４の実施形態）  
この発明の第４の実施形態は、前記第３の実施形態をさらに改良したもので、あらすじデータを再生しようとする場合に、中断時刻から再生再開時刻までの時間、つまり中断時間を計時し、この中断時間の長さに応じて再生するあらすじデータの長さを可変設定するようにしたものである。
【００５６】
あらすじデータの再生が必要と判定されると制御ユニット２３は、内部メモリ２３３から中断時刻を表す情報を読み出すと共に、内部時計から再生再開時刻を取得し、この再生再開時刻から中断時刻までの時間、つまり中断時間Ｔs を計算する。そして、この計算された中断時間Ｔs に基づいてあらすじデータＰＤの再生時間長を計算する。再生時間長は、中断時間Ｔs に予め定められた比例定数をかけ算することにより計算できる。なお、中断時間Ｔs と再生時間長との対応関係を表すメモリテーブルを設けておき、このメモリテーブルから中断時間Ｔs に対応する最適な再生時間長を読み出すようにしてもよい。
【００５７】
例えば、図１２に示すように中断時刻と再生再開時刻との間の中断時間Ｔs1が図１１の場合より短い場合には、この中断時間Ｔs1の長さに応じてあらすじデータの再生時間長を図１１に示したＰＤｉよりも短い値ＰＤｊに設定する。これに対し、例えば図１３に示すように中断時刻と再生再開時刻との間の中断時間Ｔs2が図１１の場合より長い場合には、この中断時間Ｔs2の長さに応じてあらすじデータの再生時間長も図１１に示したＰＤｉよりも長い値ＰＤｋに設定する。
【００５８】
このようにすると、中断時間が長い場合には、過去の比較的古いコンテンツデータの内容を含むあらすじデータが再生される。このため、ユーザは中断時間が長かったために忘れてしまいがちな過去の古い内容を含めてコンテンツデータの内容を再確認することが可能となる。これに対し中断時間が短かった場合には、中断直前の比較的短い内容のあらすじデータに限り再生される。このため、ユーザがあらすじデータの再生に対し煩わしさを感じる不具合は軽減される。
【００５９】
（その他の実施形態）  
前記第１の実施形態では、先に述べた（１）〜（５）の５つの条件をすべて満たす場合にのみあらすじデータを再生するようにした。しかし、（１）〜（５）の各条件のうちの少なくとも１つを満たす場合にあらすじデータを再生するように制御してもよい。
【００６０】
また、前記各実施形態ではコンテンツ制作者又はウエブサイトにおいて予め作成されたあらすじデータをダウンロードして記憶ユニノット４に記憶するようにした。しかし、それに限定されるものではなく、ダウンロードされたコンテンツデータをもとに携帯端末内であらすじデータを作成するようにしてもよい。さらに、あらすじデータの再生が必要と判定されたときに、その時点でコンテンツデータの中断位置以前の内容に基づいてあらすじデータを作成して再生するようにしてもよい。
【００６１】
その他、携帯端末の種類とその構成、コンテンツデータの種類、あらすじデータの内容、コンテンツデータ及びあらすじデータの再生制御手順とその内容、あらすじデータの再生の要否判定処理の手順と内容等についても、この発明の要旨を逸脱しない範囲で種々変形して実施できる。
【００６２】
要するにこの発明は、上記各実施形態そのままに限定されるものではなく、実施段階ではその要旨を逸脱しない範囲で構成要素を変形して具体化できる。また、上記各実施形態に開示されている複数の構成要素の適宜な組み合せにより種々の発明を形成できる。例えば、各実施形態に示される全構成要素から幾つかの構成要素を削除してもよい。さらに、異なる実施形態に亘る構成要素を適宜組み合せてもよい。
【図面の簡単な説明】
【００６３】
【図１】この発明の第１の実施形態に係わる携帯端末の概略構成を示すブロック図である。
【図２】図１に示した携帯端末の制御ユニットの機能構成を示すブロック図である。
【図３】図１に示した携帯端末の記憶ユニットの機能構成を示すブロック図である。
【図４】図２に示した制御ユニットによるコンテンツデータ及びあらすじデータの再生制御の手順と内容を示すフローチャートである。
【図５】図４に示した再生制御中のあらすじ再生判定処理の手順と内容を示すフローチャートである。
【図６】図３に示した記憶ユニットに記憶されるコンテンツデータ及びあらすじデータの一例を示す図である。
【図７】この発明の第１の実施形態に係わる携帯端末におけるコンテンツデータ及びあらすじデータの再生動作を説明するための図である。
【図８】この発明の第２の実施形態に係わる携帯端末の記憶ユニットに記憶されるコンテンツデータ及びあらすじデータの一例を示す図である。
【図９】この発明の第２の実施形態に係わる携帯端末におけるコンテンツデータ及びあらすじデータの再生動作を説明するための図である。
【図１０】この発明の第３の実施形態に係わる携帯端末の記憶ユニットに記憶されるコンテンツデータ及びあらすじデータの一例を示す図である。
【図１１】この発明の第３の実施形態に係わる携帯端末におけるコンテンツデータ及びあらすじデータの再生動作を説明するための図である。
【図１２】この発明の第４の実施形態に係わる携帯端末の記憶ユニットに記憶されるコンテンツデータ及びあらすじデータの一例を示す図である。
【図１３】この発明の第４の実施形態に係わる携帯端末におけるコンテンツデータ及びあらすじデータの再生動作を説明するための図である。
【符号の説明】
【００６４】
１…無線ユニット、２…ベースバンドユニット、３…ユーザインタフェースユニット、４…記憶ユニット、５…電源ユニット、１１…アンテナ、１２…アンテナ共用器（ＤＵＰ）、１３…受信回路（ＲＸ）、１４…シンセサイザ（ＳＹＮ）、１５…送信回路（ＴＸ）、２１…ＣＤＭＡ信号処理ユニット、２２…コーデック、２３…制御ユニット、３１…スピーカ、３２…マイクロホン、３３…ディスプレイ、３４…入力デバイス、４１…コンテンツ記憶領域、４２…あらすじ記憶領域、４３…スケジュール記憶領域、２３１…通信制御モジュール、２３２…コンテンツ再生制御モジュール、２３３…内部メモリ、２３４…あらすじ再生判定モジュール、２３５…あらすじ再生制御モジュール。
【図１】
2008147939.tif 000003
【図２】
2008147939.tif 000004
【図３】
2008147939.tif 000005
【図４】
2008147939.tif 000006
【図５】
2008147939.tif 000007
【図６】
2008147939.tif 000008
【図７】
2008147939.tif 000009
【図８】
2008147939.tif 000010
【図９】
2008147939.tif 000011
【図１０】
2008147939.tif 000012
【図１１】
2008147939.tif 000013
【図１２】
2008147939.tif 000014
【図１３】
2008147939.tif 000015